(57)【特許請求の範囲】
【請求項１】
ヘッドと、
前記ヘッドと一体のフックと、
前記ヘッドおよびフックの少なくとも一方から下方に伸延する支持アームとを具え、
前記支持アームは、直径0.4〜1.0mmの複数本の線状体からなり、水底に接触することでフック先端を上方に向けた状態に保持できるように構成されたことを特徴とする釣り用ルアー。
【請求項２】
前記ヘッドを中間として実質的に支持アームと反対側に伸延するローアーアームと、ローアーアームにラインアイを介して所定の角度で連続するアッパーアームと、アッパーアームに回転自在に連結されるブレードとを具えたスピナーベイトであることを特徴とする請求項１に記載の釣り用ルアー。
【請求項３】
前記支持アームが2本であることを特徴とする請求項1に記載の釣り用ルアー。
【請求項４】
前記支持アームの先端側がフックの直線部と実質的に平行に屈曲されたことを特徴とする請求項1に記載の釣り用ルアー。
【請求項５】
前記支持アームが、ヘッドから後方に向かうに従って間隔の広がるV型に配置されていることを特徴とする請求項3に記載の釣り用ルアー。
【請求項６】
前記支持アームが円弧状に屈曲されていることを特徴とする請求項１に記載の釣り用ルアー。
【請求項７】
前記ヘッドおよびフックの少なくとも一方に一体化されたスカートを具えることを特徴とする請求項１〜６のいずれかに記載の釣り用ルアー。
【請求項８】
前記支持アームにラトルボール入り容器を装着したことを特徴とする請求項１〜７のいずれかに記載の釣り用ルアー。
【請求項９】
前記支持アームにローアーブレードを装着したことを特徴とする請求項１〜７のいずれかに記載の釣り用ルアー。
【発明の詳細な説明】
【０００１】
【発明の属する技術分野】
本発明は、釣り用ルアーに関するものである。特に、魚に対するアピール性やリアクション性に優れ、好釣果が期待できる釣り用ルアーに関するものである。
【０００２】
【従来の技術】
ブラックバスをはじめ、スズキ、鮭、マス等を主な対象魚とする釣用ルアーとして、「ラバージグ」と呼ばれるものや、「スピナーベイト」と呼ばれるものがある。
【０００３】
ラバージグは、図１０に示すように、ヘッド１の先端にラインアイ２が固定され、末端にフック３が一体化されたものである。通常、ヘッド１とフック３のつなぎ目周辺に複数本のゴムひもを結束したスカート５が具えられている。ラバージグは、水中でスカート５をなびかせることにより集魚効果を発揮する。
【０００４】
一方、スピナーベイトは、図１１に示すように、ヘッド１の先端に、Ｌ型のアームが固定され、末端にフックが固定された構成である。アームはヘッド１に固定されて前方に伸びるローアーアーム６と、ローアーアーム６からラインアイ２を経て後方に伸びるアッパーアーム７とからなる。ヘッド１とフック３のつなぎ目周辺は、複数本のゴムひもを結束したスカート５が具えられている。そして、アッパーアーム７の先端に回転自在のブレード８が装着されている。スピナーベイトを用いてリトリーブすると、このブレード８が水中で回転運動を起こしながら光を反射し、あるいは独特な振動波や音・泡を発して、その特有な動きにより極めて高い集魚効果を発揮する。
【０００５】
【発明が解決しようとする課題】
しかし、上記のルアーでは次のような問題があった。
▲１▼水底にルアーを安定して立たせた状態を保持することが難しい。
水底の魚を狙って、ルアーのフック先端を上に向けた状態でゆっくりと水底を引き摺るようにリトリーブすることがある。しかし、通常、ヘッドは球形もしくは円筒状に近く、容易に左右に振れるため、フック先端を上に向けた状態を保持してリトリーブすることが難しい。そのため、トレーラーをフックに掛けて用いる場合、トレーラーの尾部を上げて魚に対するアピール性を高めることができない。また、スピナーベイトの場合、魚が食い付くチャンスを多くするために極力ゆっくりとルアーを立てた状態で引き摺り、かつブレードが回転する程度のスピードを得ることは事実上不可能である。
【０００６】
▲２▼水中のストラクチャーにルアーが接触した場合、そのリアクションを正確に感知することが難しい。
水中には、ウィード、石、杭など様々なストラクチャーが存在する。ルアーがストラクチャーに接触した際、不規則な動きをしたり、音を発することでいわゆるリアクションバイトを誘う。しかし、従来のルアーでは、ヘッドが直接ストラクチャーに接触することになり、アングラーがそのリアクションを鋭敏に感知することが難しかった。特に、ルアーが水底を擦っているのか杭に当たっているのか石に当たっているのか等の微妙な区別を行うことは全く不可能である。
【０００７】
▲３▼根掛りやヘッドの損傷を防止することが難しい。
ルアーのフック先端を上に向けた状態を保持することが難しい結果、ルアーが根掛りしてしまうことが多い。従来、根掛りを回避するために、ある程度の速さでルアーを引くことが行われているが、それではゆっくりと水底を引き摺ることができず、魚が食い付くチャンスを多くすることができない。また、ヘッドが直接水底やストラクチャーに接触するため、ヘッドの変形・塗装剥離など、損傷につながりやすい。
【０００８】
従って、本発明の主目的は、フック先端を上に向けて立たせた状態でゆっくりと水底を引き摺ることができる釣り用ルアーを提供することにある。
【０００９】
また、本発明の他の目的は、水中のストラクチャーとの接触状態を鋭敏に感知することができる釣り用ルアーを提供することにある。
【００１０】
さらに、本発明の別の目的は、根掛りやヘッドの損傷を抑制できる釣り用ルアーを提供することにある。
【００１１】
【課題を解決するための手段】
本発明は、ルアーのヘッド周辺から下方に伸びる支持アームを設けることで上記の目的を達成する。
【００１２】
すなわち、本発明釣り用ルアーは、ヘッドと、前記ヘッドと一体のフックと、前記ヘッドおよびフックの少なくとも一方から下方に伸延する支持アームとを具えることを特徴とする。
【００１３】
フック周辺から下方に伸びる支持アームを設けることで、極めて簡潔な構成にて容易にルアーを水底に安定して立たせることができる。特に、トレーラーを用いた場合、トレーラーの尾部を上げて魚に対するアピール性を高めることも容易に実現できる。
【００１４】
また、支持アームが水底やストラクチャーに接触することで、ヘッドが直接ストラクチャーに接触する場合に比べて遥かに鋭敏なリアクションを感知することができる。
【００１５】
さらに、フック先端を上に向けた状態を保持できるため、水底をゆっくりと引き摺る場合でも根掛りを効果的に防止できる。そして、支持アームがストラクチャーに接触することで、ヘッドが水底やストラクチャーに接触する頻度を減らし、ヘッドの損傷を格段に低減することができる。
【００１６】
以下、本発明の構成をより詳しく説明する。
（ルアーの種類）
フックとヘッドを一体化したいわゆるジグヘッドに対して支持アームを設けることを基本構成とする。これにスカートを設けてラバージグタイプとした構成でも良い。スカートは複数のラバーやプラスチックひもをジグヘッドに一体に結束したもので、水中で揺らめくことで集魚効果を高める。
【００１７】
また、スピナーベイトタイプのルアーでも良い。つまり、ヘッドを中間として実質的に支持アームと反対側に伸延するローアーアームと、ローアーアームにラインアイを介して所定の角度で連続するアッパーアームと、アッパーアームに回転自在に連結されるブレードとを具えた構成としても良い。ブレードの形状は特に限定されない。一般に高速リトリーブにはリーフ型が、スローリトリーブにはコロラド型が適している。さらに、複数のブレードを装着しても良い。通常、スピナーベイトにはスカートが装着される。
【００１８】
その他、フックにトレーラーを掛けた構成も挙げられる。トレーラーは、一般にゴム製でミミズやイモリなどの水生生物を模擬したもので、ストレートワーム、ソフトジャーク、グラブ、カーリーテール、シャッドテール、リングワーム、チューブ、リザード、クローワーム、パドルテールなどが挙げられる。
【００１９】
（支持アーム）
＜形状＞
支持アームの形状は、線状体、棒状体、板状体など種々の形状が挙げられる。基本的には、ヘッドの下方に伸延するものであれば特に形状は問わない。ただし、ストラクチャーに接触した際のリアクションを鋭敏に検知するには、線状体が好ましい。
【００２０】
＜数＞
線状体を用いる場合、１本でも良いが複数本とすることが好適である。１本の線状体を用いると、ヘッドの下方に伸びる支持アームの先端が若干水底に埋没することでルアーを立った状態に保持することができる。２本の線状体を用いる場合、２点で水底と接触できるため、より安定してルアーを立った状態に保持することができる。もちろん、３本以上の線状体を用いても構わないが、本数が増えると魚が食い付く際の障害になることもあり、２本とすることが最良と考えられる。棒状体や板状体の場合、そのサイズにもよるが通常は一つである。
【００２１】
＜材質＞
水中で使用するため、耐水性、耐食性を有するものであれば基本的には何でも良い。金属、プラスチックなどが挙げられる。ただし、鋭敏なリアクションを感知するには金属製が好ましい。耐食性に優れる金属としてはステンレス鋼が挙げられる。例えばＳＵＳ３０４などのステンレス鋼を利用することが望ましい。
【００２２】
＜サイズ＞
線状体の支持アームを用いる場合、直径１ｍｍ以下の金属線が望ましい。１ｍｍを超える太い金属線では、ストラクチャーとの接触した際の感触を鋭敏に感知することが難しくなるからである。金属線径の下限は０．４ｍｍ程度である。あまり細くなると強度が不足し、使用時に折れ曲がりを生じたりするからである。より好ましくは０．５〜０．７ｍｍ程度、最も好ましくは０．６±０．０５ｍｍである。棒状体や板状体を支持アームとする場合、魚の食い付きに際して障害にならない程度の大きさを選択すれば良い。
【００２３】
＜装着状態＞
通常、支持アームはヘッドおよびフックの少なくとも一方から後方の斜め下方に向けて装着すれば良い。つまり、▲１▼ヘッドのみから支持アームを伸延する、▲２▼フックのみから支持アームを伸延する、▲３▼ヘッドとフックの双方から支持アームを伸延する、▲４▼ヘッドとフックの境界部から支持アームを伸延するなどの構成が挙げられる。例えば、スピナーベイトではローアーアームの延長線沿いにヘッドから１本の支持アームを伸延することなどが考えられる。また、支持アームは直線状でも良いが、その先端側をフックの直線部と実質的に平行に屈曲することが好ましい。フックの直線部と実質的に平行な支持アームの一部は、水底との接地面積を広げ、一層安定してルアーを立たせることができる。その他、支持アームを円弧状に屈曲しても良い。バスのスポーニング（産卵）期などにサイトフィッシング（浅瀬で直接水中の様子を見ながら釣ること）を行う場合、ルアーを水底の特定位置でローリングすることが好ましい。支持アームを円弧状にすれば、ロッキングチェアーのようにルアーをローリングすることが容易にできる。円弧状に屈曲した支持アームの利用は、ラバージグやジグヘッドにおいて特に効果的である。このように、支持アームの屈曲形状は、ルアーの種類や状況に応じて適宜変更することができる。
【００２４】
また、２本の線状体支持アームを用いる場合、ヘッドから後方に向かうに従って間隔が広がるＶ型に各支持アームを配置することが好適である。各支持アームの末端側の間隔は、ヘッドの幅と同等か、またはヘッドよりも若干広い程度とすることが望ましい。２本の支持アームがヘッドの幅方向に広がって配置されることで、ルアーが左右方向に傾いて倒れることを防止できる。特に、ヘッドよりも支持アームを幅方向に突出させた場合、ヘッド幅方向に位置するストラクチャーには、まず支持アームが接触するため、支持アームの反発によりルアーに不規則な動きを生じさせてリアクションバイトを誘うことができる。もちろん、線状体の支持アームとストラクチャーの接触は極めて鋭敏に感知することができる。
【００２５】
支持アーム末端の位置は、魚の食い付きに障害とならない程度とすれば良い。例えば、スピナーベイトではヘッドとフックのつなぎ目程度まで支持アームを伸ばすことが考えられる。ラバージグでは、若干支持アームを長めにし、ほぼフックの後端側と同程度の位置まで伸ばしても良い。
【００２６】
＜付加構成＞
その他、支持アームに対する付加構成としてラトルボールが挙げられる。ラトルボールは金属ボールを容器に入れ、リトリーブした際に容器内で金属ボールが動くことで音をたてて集魚効果をねらうものである。金属ボールを封入した金属、プラスチックあるいはガラスなどの容器を支持アームの途中または先端に揺動自在に装着すれば良い。金属ボールは複数が好適である。また、金属ボールの材質は鋼、タングステン、銅、銅合金など種々のものが利用できる。
【００２７】
さらには、支持アームにローアーブレードを装着しても良い。ローアーブレードはスピナーベイトに用いるブレードと同様な構成ものを用いれば良い。装着の手段もスイベルやクレビスを介して支持アームに装着することで、ローアーブレードを回転自在あるいは揺動自在にする。支持アームに線状体を用いる場合、その線径が細いため、ローアーブレードには小型のものを利用することが好ましい。ローアーブレードの装着による効果も、その回転に伴う光の反射や振動音の発生により集魚効果を高めることにある。
【００２８】
【発明の実施の形態】
以下、本発明の実施の形態を説明する。
（実施例１）
図１はいわゆるジグヘッドに支持アームを設けた本発明ルアーの側面図である。
【００２９】
このルアーは弾丸状のヘッド１の先端側に環状のラインアイ２を固定し、後端側にフック３を一体化した構成である。このヘッド１に１本の金属線からなる支持アーム４を固定する。支持アーム４はヘッド後方の斜め下方に伸びるように固定されている。ここでは支持アーム４の末端側を折り曲げ、その折り曲げ端がフック３の直線部とほぼ平行になるように配置した。また、支持アーム４には直径０．６ｍｍのＳＵＳ３０４線材を用いた。
【００３０】
このようなルアーを製造するには、例えば、ラインアイ２とフック３および支持アーム４を規定の位置に配置し、鉛を型に流し込んでヘッド１を形成すると共に、ラインアイ２、フック３、支持アーム４を一体に構成すればよい。ヘッド１には、適宜、魚に対してアピールし易い塗装を施す。
【００３１】
上述のルアーのラインアイ２にラインを通してリトリーブすると、支持アーム４が水底にわずかに埋没して、フック３を上方に向けた状態に保持することが容易にできる。
【００３２】
また、支持アーム４は細い金属線であるため、ストラクチャーに接触した際の感触を極めて鋭敏に伝達することができる。
【００３３】
そして、支持アーム４をヘッド１の下方に突出させることで、ヘッド１が水底やストラクチャーに直接接触する頻度を減らし、ヘッド１の変形・塗装剥離など、損傷を抑制することができる。
【００３４】
以下に述べる他の実施例においてもヘッド、フックは本例と同一構成としているが、ヘッドやフックの形状・サイズに種々のものが利用できることは言うまでもない。
【００３５】
（実施例２）
図２はラバージグタイプの本発明ルアーの側面図である。
このルアーでは、実施例１におけるヘッド１とフック３のつなぎ目付近に複数のゴムひもを束ねてスカート５を設けている。このスカート５を水中でなびかせることにより集魚効果を高める。他の構成、作用効果は実施例１と同様である。
【００３６】
（実施例３）
図３はスピナーベイトタイプの本発明ルアーを示す側面図である。このルアーは、ヘッド１の先端側にＬ型のアームを一体化し、さらにアームの末端にブレード８を装着した構成である。アームはヘッド１から斜め上方に伸びるローアーアーム６と、ラインアイ２を介してローアーアーム６に連続して後方側に伸びるアッパーアーム７とからなる。アッパーアーム７の末端には、スイベル９を介してリーフ状のブレード８が装着され、リトリーブした際にブレード８が回転するように構成されている。通常、図４に示すように、図３の構成におけるヘッド１とフック３のつなぎ目付近にスカート５を設けて用いることが多い。その他の構成、支持アーム４に関する作用効果は実施例１と同様である。図３では、ローアーアーム６の延長線に沿って支持アーム４が設けられており、一見するとローアーアーム６と支持アーム４は同一金属線のようにも見える。しかし、通常、ローアーアーム６およびアッパーアーム７は直径１．０ｍｍ程度以上の金属線が用いられているのに対し、支持アーム４はより細い金属線が好ましいため、両アームは独立した金属線を用いている。
【００３７】
（実施例４）
図５（Ａ）は図４の支持アームを２本とした本発明ルアーの側面図、同（Ｂ）は正面図である。
【００３８】
本例は支持アーム４が２本である点を除いて、他の構成は実施例３と同様である。ここでは、一対の支持アーム４の間隔を、ヘッド側が狭く、ヘッド１から離れる末端側を広くしている。すなわち、支持アーム４がＶ型になるように装着している。ヘッド１やフック３の構成およびスカート５が設けられている点は図４の実施例と同様である。
【００３９】
２本の支持アーム４を用いることで、１本の支持アームに比べて、フック３を上方に向けた状態でルアーを保持し易くできる。特に、ヘッド１の幅よりも支持アーム末端の間隔を広くすることで、ストラクチャーに支持アーム４が接触しやすくなり、リアクションバイトを期待しやすくなる。
【００４０】
（実施例５）
図６はジグヘッドにトレーラーを装着した状態を示す本発明ルアーの側面図である。
【００４１】
すなわち、図１のジグヘッドにおけるフック３にトレーラー１２を掛けている。支持アーム４によりフック３を上方に向けて保持できることから、トレーラー１２の尾部を上方に持ち上げて魚に対する高いアピール性を得ることができる。フック３を上方に向けた状態にルアーを保持できれば、通常、水中では浮力によりトレーラー１２の尾部が上方に持ち上がった状態となる。
【００４２】
（実施例６）
図７はスピナーベイトタイプの本発明ルアーにトレーラーを装着した状態を示す側面図である。
【００４３】
すなわち、図３のルアーにおけるフック３にトレーラー１２を掛けている。この構成でも、支持アーム４によりフック３を上方に向けて保持できることから、トレーラー１２の尾部を上方に持ち上げて魚に対する高いアピール性を得ることができる。
【００４４】
（実施例７）
図８は支持アームにラトルボールを装着したラバージグタイプの本発明ルアーを示す側面図である。
【００４５】
支持アーム４の途中に複数のラトルボール１０を収納した容器を揺動自在に装着する。ラトルボール１０はルアーをリトリーブした際に容器内で動き、互いに衝突することで特有の音を発し、集魚効果を高めることができる。ここでは、ほぼ円筒状のプラスチック容器内に鋼球を収納した構成とした。
【００４６】
この構成では、図２のルアーの持つ作用効果に加え、上記ラトルボールの集魚効果も兼備することができる。
【００４７】
（実施例８）
図９は支持アームにローアーブレードを装着したラバージグタイプの本発明ルアーを示す側面図である。
【００４８】
本例では、実施例７のラトルボールの代わりにローアーブレード１１を装着している。ここでは、リーフ型のローアーブレード１１を、スイベルを介して支持アーム４の途中に装着している。ローアーブレード１１はスピナーベイトに用いるブレードよりも小型のものが好ましい。このルアーをリトリーブすると、ローアーブレード１１が揺動して光の反射や振動の発生による集魚効果を奏する。
【００４９】
従って、この構成により図２のルアーの持つ作用効果に加え、上記ローアーブレードの集魚効果も兼備することができる。
【００５０】
なお、本例のルアーを、水底を引き摺るようにリトリーブした場合、ローアーブレード１１も水底に接してあまり回転しないが、揺らめくように動くことで光の反射や水底との接触音あるいは水中の振動音を発することができ、集魚効果が期待できる。
【００５１】
【発明の効果】
以上説明したように、本発明釣り用ルアーによれば、次の効果を奏することができる。
【００５２】
▲１▼ヘッドの下方に伸びる支持アームを設けることで、フックを上に向けた状態で安定してルアーを保持することができる。特に、トレーラーを装着した場合、トレーラーの尾部を上げた状態でルアーをリトリーブでき、魚に対するアピール性を高めることができる。従って、ルアーを立てた状態でゆっくりと水底を引き摺るようにリトリーブすることが容易にでき、魚の食い付くチャンスを増大することができる。
【００５３】
▲２▼ヘッドの下方に伸びる支持アームを設けることで、ストラクチャーとの接触を鋭敏に感知することができる。特に、金属線を支持アームに用いることで、接触対象が水底か石か杭かなどまで区別できるほど鋭敏な感知が可能になる。この鋭敏な感知は、熟練者のみならず初心者でも可能である。
【００５４】
▲３▼支持アームが水底やストラクチャーに接することで、微妙なリアクションを起こすことができ、リアクションバイトを期待できる。特に、金属線を支持アームに用いた場合、接触時の金属線の反発により微妙で不規則な動きをルアーに与えることができる。
【００５５】
▲４▼支持アームが水底やストラクチャーに接することで、根掛りやヘッドの損傷を防止することができる。従って、ゆっくりと水底を引き摺るようにルアーをリトリーブしても根掛りやヘッドの損傷を格段に低減することができる。
【００５６】
▲５▼ラトルボールやローアーブレードを支持アームに装着することで、音の発生や光の反射を起こして、より一層魚に対するアピール性を向上することができる。
【図面の簡単な説明】
【図１】ジグヘッドに支持アームを設けた本発明ルアーを示す側面図である。
【図２】ラバージグタイプの本発明ルアーを示す側面図である。
【図３】スピナーベイトタイプの本発明ルアーを示す側面図である。
【図４】（Ａ）は図３のルアーにスカートを設けた状態を示す本発明ルアーの側面図、（Ｂ）は正面図である。
【図５】（Ａ）は支持アームを２本とした本発明ルアーを示す側面図、（Ｂ）は正面図である。
【図６】ジグヘッドにトレーラーを装着した状態を示す本発明ルアーの側面図である。
【図７】スピナーベイトタイプの本発明ルアーにトレーラーを装着した状態を示す側面図である。
【図８】支持アームにラトルボールを装着したラバージグタイプの本発明ルアーを示す側面図である。
【図９】支持アームにローアーブレードを装着したラバージグタイプの本発明ルアーを示す側面図である。
【図１０】従来のラバージグを示す側面図である。
【図１１】従来のスピナーベイトを示す側面図である。
【符号の説明】
１  ヘッド
２  ラインアイ
３  フック
４  支持アーム
５  スカート
６  ローアーアーム
７  アッパーアーム
８  ブレード
９  スイベル
１０  ラトルボール
１１  ローアーブレード
１２  トレーラー
【図１】
0003572298.tif 000002
【図２】
0003572298.tif 000003
【図３】
0003572298.tif 000004
【図４】
0003572298.tif 000005
【図５】
0003572298.tif 000006
【図６】
0003572298.tif 000007
【図７】
0003572298.tif 000008
【図８】
0003572298.tif 000009
【図９】
0003572298.tif 000010
【図１０】
0003572298.tif 000011
【図１１】
0003572298.tif 000012